(57)【要約】【課題】プリンタで印字処理を行なった場合でも、段差による印字トラブルが起こる危険性がない返信用葉書付きメールフォームを提供するものである。【解決手段】第１の用紙上の右側片上には、再剥離再貼付可能な接着剤層が設けられて第３の用紙が剥離可能に接着され、第１の用紙の左側と中央の二紙片には、裏面の周縁に感圧性接着剤層が塗布され、第１の用紙の右側紙片の裏面に宛先情報が表示され、第２の用紙は、折り畳み用ミシンが形成され、左側紙片上に宛先情報が表示され、右側紙片の右辺を除く３周辺に沿って感圧性接着剤層が塗布され、第３の用紙は、左辺を除く３周辺に沿って感圧性接着剤層が塗布され、第１の用紙は、塗布された感圧性接着剤層に沿って切り取りミシンが形成され、第２の用紙は、塗布された感圧性接着剤層に沿って切り取りミシンが形成され、第３の用紙は、塗布された感圧性接着剤層に沿って切り取りミシンが形成されている。【選択図】        図１
2010017919.tif 000002
【特許請求の範囲】
【請求項１】
略３等分に三つ折り状態にする三紙片が、折り畳み用ミシンを介して連接された横長である矩形状の第１の用紙と、前記第１の用紙の左側と中央に位置する二紙片の上面に重ね合わされて接着されている第２の用紙と、前記第１の用紙上の右側に位置する一紙片上に重ね合わされて、剥離可能に接着されている第３の用紙とを有し、前記第１の用紙を三つ折りにすることで、前記第２の用紙及び第３の用紙も折り畳まれて返信用葉書を有する三つ折り封書を作成するための返信用葉書付きメールフォームであって、
前記第１の用紙上の右側に位置する一紙片上には、自己発色剤層と、再剥離再貼付可能な接着剤層とが順次に設けられ、前記再剥離再貼付可能な接着剤層により第３の用紙が剥離可能に接着され、
前記第１の用紙の左側と中央に位置する二紙片には、裏面の周縁に、加圧することにより接着する感圧性接着剤層が設けられ、
前記第１の用紙の右側の一紙片には、裏面に返信用葉書の宛先情報が表示され、
前記第２の用紙は、前記第１の用紙の折り畳み用ミシンと重なる位置に折り畳み用ミシンが形成され、該折り畳み用ミシンで区分けされる左側紙片上に三つ折り封書の宛先情報が表示され、該折り畳み用ミシンで区分けされる右側紙片の右辺を除く３周辺に沿って、加圧することにより接着する感圧性接着剤層が設けられ、
前記第３の用紙は、左辺を除く３周辺に沿って、加圧することにより接着する感圧性接着剤層が設けられ、
前記第１の用紙は、該第１の用紙に塗布された感圧性接着剤層に沿って、内側部分に切り取りミシンが形成され、
前記第２の用紙は、該第２の用紙に塗布された感圧性接着剤層に沿って、内側部分に切り取りミシンが形成され、
前記第３の用紙は、該第３の用紙に塗布された感圧性接着剤層に沿って、内側部分に切り取りミシンが形成されている、
ことを特徴とする返信用葉書付きメールフォーム。
【発明の詳細な説明】
【技術分野】
【０００１】
本発明は、記入した情報を第三者に見られない状態に隠蔽して送ることができる返信用葉書を備えた三つ折り封書を作成するための返信用葉書付きメールフォームに関するものである。
【背景技術】
【０００２】
従来、印字、または、印刷によって表示された情報を漏洩や、改竄から護るためにさまざまな方法や、対応媒体が提供されている。
その一つに、スクラッチインキによる情報の秘匿方法がある。
この方法は、例えば、スクラッチ籤のように、スクラッチインキで印刷された部分を削り取ってインキの下に印刷されている文字や、数字を表出し、当たり外れを判定するものである。
【０００３】
また、複数枚の透明フィルムを積層した積層フィルムラベルをプリンタや、印刷によって表示した文言や、数字の上から貼付して情報を秘匿する方法がある。
この方法は、透明なフィルムの間で剥離させ、文字や、数字を可視状態にするものである。
そこで、被着体に形成された情報を隠すために当該被着体に貼り合わされるラベルであって、基材の内面側に脆質層を有した層を形成し、情報を覆う部分は非接着状態にするとともに、その非接着部分の両側に間隔を置いて破断線を設けた情報隠蔽ラベルが提供されている。（例えば、特許文献１参照）
【０００４】
しかしながら、特許文献１に記載されている技術は、隠蔽ラベル自体の偽造防止が不十分で、同様の外観を持つ偽造、模造、変造品が容易に製造される危険性がある。
そこで、出願人は、送付された返信用葉書付きメールフォームに一体化された状態で形成された保護紙片で返信情報を保護する返信用葉書付きメールフォームを既に出願した。（特許文献２参照）
【０００５】
この返信用葉書付きメールフォームは、返信情報を保護する返信用葉書が付いているものの、上側に重ねた用紙が一部分に重ねられているために段差が生じていることから、この返信用葉書付きメールフォームに対してプリンタで印字処理を行なった場合に、段差による印字トラブルが起こる危険性があるという問題がある。
【０００６】
【特許文献１】特開２００６−３５８４１号公報
【特許文献２】特願２００７−１８９０７３
【発明の開示】
【発明が解決しようとする課題】
【０００７】
そこで、本発明は、記入した情報を第三者に見られない状態に隠蔽して送ることができる返信用葉書を備えた三つ折り封書を作成するための返信用葉書付きメールフォームであって、特に返信用葉書付きメールフォームに対してプリンタで印字処理を行なった場合でも、段差による印字トラブルが起こる危険性がない返信用葉書付きメールフォームを提供するものである。
【課題を解決するための手段】
【０００８】
本発明の返信用葉書付きメールフォームは、略３等分に三つ折り状態にする三紙片が、折り畳み用ミシンを介して連接された横長である矩形状の第１の用紙と、前記第１の用紙の左側と中央に位置する二紙片の上面に重ね合わされて接着されている第２の用紙と、前記第１の用紙上の右側に位置する一紙片上に重ね合わされて、剥離可能に接着されている第３の用紙とを有し、前記第１の用紙を三つ折りにすることで、前記第２の用紙及び第３の用紙も折り畳まれて返信用葉書を有する三つ折り封書を作成するための返信用葉書付きメールフォームであって、前記第１の用紙上の右側に位置する一紙片上には、自己発色剤層と、再剥離再貼付可能な接着剤層とが順次に設けられ、前記再剥離再貼付可能な接着剤層により第３の用紙が剥離可能に接着され、前記第１の用紙の左側と中央に位置する二紙片には、裏面の周縁に、加圧することにより接着する感圧性接着剤層が設けられ、前記第１の用紙の右側の一紙片には、裏面に返信用葉書の宛先情報が表示され、前記第２の用紙は、前記第１の用紙の折り畳み用ミシンと重なる位置に折り畳み用ミシンが形成され、該折り畳み用ミシンで区分けされる左側紙片上に三つ折り封書の宛先情報が表示され、該折り畳み用ミシンで区分けされる右側紙片の右辺を除く３周辺に沿って、加圧することにより接着する感圧性接着剤層が設けられ、前記第３の用紙は、左辺を除く３周辺に沿って、加圧することにより接着する感圧性接着剤層が設けられ、前記第１の用紙は、該第１の用紙に塗布された感圧性接着剤層に沿って、内側部分に切り取りミシンが形成され、前記第２の用紙は、該第２の用紙に塗布された感圧性接着剤層に沿って、内側部分に切り取りミシンが形成され、前記第３の用紙は、該第３の用紙に塗布された感圧性接着剤層に沿って、内側部分に切り取りミシンが形成されている、ことを特徴とする。
【発明の効果】
【０００９】
したがって、本発明の返信用葉書付きメールフォームは、略３等分に三つ折り状態にする三紙片が連接された矩形状の第１の用紙上に、第２の用紙と第３の用紙とが並べられた状態で貼付されて、隠蔽して送ることができる返信用葉書を作成できるように構成されているので、記入した情報を第三者に見られない状態に隠蔽して送ることができる返信用葉書を備えるとともに、返信用葉書付きメールフォームに対してプリンタで印字処理を行なった場合でも、段差による印字トラブルが起こる危険性がないという効果がある。
【発明を実施するための最良の形態】
【００１０】
以下、本発明の実施形態に係る返信用葉書付きメールフォームを図面に基づいて詳細に説明する。
図１は、本発明の実施形態に係る返信用葉書付きメールフォームの各用紙を分離して示す平面図、図２は、本発明の実施形態に係る返信用葉書付きメールフォームの表面側の平面図、図３は、図２のＡ−Ａ線断面図、図４は、本発明の実施形態に係る返信用葉書付きメールフォームの裏面側の平面図が示されている。
なお、図１に示す本発明の実施形態に係る返信用葉書付きメールフォームでは、左右両端部にメールフォームをプリンタで搬送するためのマージナルパンチ部が設けられた状態の返信用葉書付きメールフォームが示されている。
【００１１】
実施形態に係る返信用葉書付きメールフォーム１は、横方向に略３等分に三つ折り状態にする三紙片２ａ，２ｂ，２ｃが、折り畳み用ミシン３ａ，３ｂを介して連接された横長である矩形状の第１の用紙２を有している。
この第１の用紙２における三紙片２ａ，２ｂ，２ｃの中で、左側と中央に位置する二紙片２ａ，２ｂの上面には、二紙片２ａ，２ｂと略同一サイズを有する第２の用紙４が重ね合わされて、接着剤層５により第１の用紙２と接着されている。
また、前記第１の用紙２の右側に位置する一紙片２ｃの上面には、その紙片２ｃと略同一サイズを有する第３の用紙６が重ね合わされて、紙片２ｃに対して剥離可能な状態で接着されている。
【００１２】
そして、第１の用紙２の上面に重ねられた第２の用紙４と第３の用紙６とが、第１の用紙２の表面上から略同じ高さの位置になるように設けられている。
この第２の用紙４と第３の用紙６とが、第１の用紙２の表面上から略同じ高さの位置になるように設けられていることで、返信用葉書付きメールフォームに対してプリンタで印字処理を行なった場合でも、段差による印字トラブルが起こる危険性がないように構成されている。
【００１３】
返信用葉書付きメールフォーム１は、第１の用紙２を三つ折りにすることで、第２の用紙４及び第３の用紙６も一緒に折り畳まれて返信用葉書を有する三つ折り封書が作成されるように構成されている。
図３に示すように、第１の用紙２上の右側に位置する一紙片２ｃの上面には、自己発色剤層７と、再剥離再貼付可能な接着剤層８とが順次に設けられている。
また、第３の用紙６の裏面には、剥離剤層９が設けられているので、第１の用紙２の上側に第３の用紙６が重ねられた場合でも、再剥離再貼付可能な接着剤層８上から第３の用紙６を剥離できる状態となっている。
再剥離再貼付可能な接着剤層８とは、一旦貼付された状態から剥離させた後でも、再度、貼付を行なえる性質を有する接着剤が塗布されている層である。
更に、紙片２ｃと第３の用紙６とは、往信時、封筒の端から何らかの負荷により剥離部分がめくられて剥離してしまわないように、封筒の端を接着剤１０により強接着した。
接着剤１０は、右側の端辺に沿って直線状に塗布されている。
【００１４】
図４に示すように、第１の用紙２の左側と中央に位置する二紙片２ａ，２ｂには、二紙片２ａ，２ｂの裏面の周縁に、加圧することにより接着する感圧性接着剤層１１が塗布されている。
また、図１に示す第１の用紙２の右側の一紙片２ｃには、図４に示すように、第１の用紙２の裏面に返信用葉書の宛先情報１３を予め表示しておく。
この宛先情報１３は、返信用葉書付きメールフォーム１を、切り取りミシンを介して縦方向に連続状態で複数連接させた連続メールフォームとしておき、プリンタを用いて印字処理することで、大量の処理を行なう。
これは、返信用葉書の宛先情報を予め表示させておくことで、返信用葉書付きメールフォーム１で作成された封書の受取人が、返信用葉書に宛先情報を書かなくても郵送できるようにしてある。
【００１５】
第２の用紙４には、第１の用紙２の折り畳み用ミシン３ａと重なる位置に折り畳み用ミシン１２が形成されている。
また、第２の用紙４の折り畳み用ミシン１２で区分けされる左側紙片上４ａの表面には、返信用葉書付きメールフォーム１で作成された三つ折り封書の宛先情報１４が予め表示されている。
第２の用紙４の折り畳み用ミシン１２で区分けされる右側紙片４ｂの右辺を除く３周辺に沿って、加圧することにより接着する感圧性接着剤層１５が設けられている。
また、第３の用紙６は、左辺を除く３周辺に沿って、加圧することにより接着する感圧性接着剤層１６がコ字状に設けられている。
【００１６】
そして、第１の用紙２は、第１の用紙２に塗布された感圧性接着剤層１１に沿って、内側部分に切り取りミシン１７が縦横方向に形成されている。
また、横方向に形成された切り取りミシン１７は、第１の用紙２の左右両端部まで連続状態で形成されている。
更に、第１の用紙２を折り畳み用ミシン３ａ，３ｂから三つ折り状態とした際に、縦方向に形成された切り取りミシン１７と重なる位置に切り取りミシン２０ｂが形成されている。
また、切り取りミシン２０ａ，２０ｃ，２０ｄは、第１の用紙２を折り畳み用ミシン３ａ，３ｂから三つ折り状態とした際に重なる位置に形成されている。
【００１７】
また、第２の用紙４は、第２の用紙４に塗布された感圧性接着剤層１５に沿って、内側部分に切り取りミシン１８が形成されている。
また、横方向に形成された切り取りミシン１８は、第２の用紙４の左右両端部まで連続状態で形成されている。
更に、第１の用紙２を折り畳み用ミシン３ａ，３ｂから三つに折り畳まれ、同時に第２の用紙４が２つに折り畳まれた状態となった際に、第２の用紙４の縦方向に形成された切り取りミシン１８と重なる位置に切り取りミシン２１ａが形成されている。
また、第３の用紙６は、第３の用紙６に塗布された感圧性接着剤層１６に沿って、その内側部分の縦横方向に、それぞれ切り取りミシン１９が形成されている。
【００１８】
第１の用紙２の中央に位置する紙片２ｂと、右側の紙片２ｃと、紙片２ｂに重ね合わされている右側紙片４ｂとには、それらの紙片が重ね合わされて接着された際に、部分的に切り取ることで葉書サイズの大きさとなる位置に、それぞれ切り取りミシン２２ａ，２１ｂ，２１ｃが形成されている。
【００１９】
また、第３の用紙６の表面には、返信用葉書付きメールフォーム１で作成した封書の受取人が、個人情報などを記入するための個人情報記入欄２３ａが設けられている。
図１，２に表示された実施形態では、個人情報記入欄２３ａとして、現住所記入欄と新住所記入欄とが表示されている。
また、第１の用紙２の右側の紙片２ｃの表面にも、個人情報記入欄２３ｂが設けられているが、第１の用紙２の紙片２ｃの表面に設けられた個人情報記入欄２３ｂは、第３の用紙６の表面に設けられた個人情報記入欄２３ａに記入された情報が、第１の用紙２の紙片２ｃの上面に設けられた自己発色剤層７により、複写されることで表示される。
したがって、個人情報記入欄２３ａと個人情報記入欄２３ｂとは、上下方向に重なる位置に設けられている。
【００２０】
また、第２の用紙４の右側紙片４ｂの表面には、返信用葉書付きメールフォーム１の使用方法説明文２４が記載され、返信用葉書付きメールフォーム１で作成した封書の受取人が、どのようにして返信用葉書を作成するなどして用いればよいのかがわかるようになっている。
【００２１】
次に、実施形態に係る返信用葉書付きメールフォーム１の使用方法について、図５から図１０に基づき説明する。
まず、切り取りミシンを介して縦方向に連続状態で形成した返信用葉書付きメールフォーム１に対して、プリンタを用いて第１の用紙２の紙片２ｃに返信用葉書の宛先情報１３を印字処理することで、宛先情報１３の表示と、更に、紙片上４ａの表面にも封筒の宛先情報を表示する。
そして、返信用葉書付きメールフォーム１を、第１の用紙２に形成された折り畳み用ミシン３ａ，３ｂから三つに折り畳んで、上下方向から加圧することで、図５に示すように、第２の用紙４上に設けられた感圧性接着剤層１５と、第３の用紙６上に設けられた感圧性接着剤層１６と、第２の用紙４の裏面上に設けられた感圧性接着剤層１１とにより、接着させて封書２５の状態にする。
これらの処理は、返信用葉書付きメールフォーム１を縦方向に連続状態で形成した連続メールフォームとした場合には、封書化させた後に、切り取りミシンから分離させることで、単体の封書２５にする。
そして、この封書２５を郵便ポストに投函するなどして郵送させる。
【００２２】
封書２５の受取人は、図６に示すように、各紙片に形成された各々の切り取りミシン１７，１８，１９，２０ａ，２０ｃ，２０ｄ，２１ａから封書２５の三方側の端部分を切り取る。
そして、折り畳まれた紙片２ｂ，２ｃを見開いて、第３の用紙６の個人情報記入欄２３ａに必要な個人情報などの記入を行なう。
記入された個人情報は、第１の用紙２の紙片２ｃの上面に設けられた自己発色剤層７により、紙片２ｃの個人情報記入欄２３ｂに複写される。
【００２３】
次に、図７に示すように、紙片２ｂ，２ｃを見開いて、更に、図８に示すように、封書２５の受取人は、第１の用紙２の紙片２ｃの上から第３の用紙６を捲り上げて剥離させることで、第１の用紙２の紙片２ｃの表面に設けられている再剥離再貼付可能な接着剤層８を表出させる。
尚、図７及び図８には、紙片２ｂ，２ｃによる返信ハガキ部のみが表示されているが、実際は、紙片２ａの部分も１片で感圧性接着剤層１１により、全体的に冊子形態になっている。
次に、図９に示すように、第１の用紙２の紙片２ｂ，２ｃを折り畳み用ミシン３ｂから二つに折り畳んで、再剥離再貼付可能な接着剤層８により紙片２ｂ，２ｃを貼り合わせる。
更に、切り取りミシン２２ａ，２１ｂ，２１ｃから紙片２ｂ，２ｃ，４ｂを切り取ることで、郵便葉書のサイズに形成させる。
そして、この郵便葉書を返信用の郵便葉書としてポストに投函するなどして郵送させる。
【００２４】
以上のように、本発明の返信用葉書付きメールフォーム１は、隠蔽して送ることができる返信用葉書を作成できるように構成され、記入した情報を第三者に見られない状態に隠蔽して送ることができる返信用葉書を備え、返信用葉書付きメールフォームに対してプリンタで印字処理を行なった場合でも、段差による印字トラブルが起こる危険性がないように構成されている。
【図面の簡単な説明】
【００２５】
【図１】本発明の実施形態に係る返信用葉書付きメールフォームの各用紙を分離して示す平面図である。
【図２】本発明の実施形態に係る返信用葉書付きメールフォームの表面側の平面図である。
【図３】図１のＡ−Ａ線断面図である。
【図４】本発明の実施形態に係る返信用葉書付きメールフォームの裏面側の平面図である。
【図５】本発明の実施形態に係る返信用葉書付きメールフォームを三つ折り状態にして封書を作成した状態を示す斜視図である。
【図６】本発明の実施形態に係る返信用葉書付きメールフォームを三つ折り状態の封書にした後、切り取りミシンで三辺側を切り取った状態を示す斜視図である。
【図７】本発明の実施形態に係る返信用葉書付きメールフォームで作成した封書から返信用葉書の部分を切り取った状態を示す斜視図である。
【図８】本発明の実施形態に係る返信用葉書付きメールフォームで作成した封書から返信用葉書の部分を切り取り、返信葉書を作成する手順を示す斜視図である。
【図９】本発明の実施形態に係る返信用葉書付きメールフォームで作成した封書から返信葉書を作成する際に、葉書サイズに切り取る前の状態を示す斜視図である。
【図１０】本発明の実施形態に係る返信用葉書付きメールフォームで作成した封書から作成した返信葉書の斜視図である。
【符号の説明】
【００２６】
１  返信用葉書付きメールフォーム
２ａ，２ｂ，２ｃ，４ａ，４ｂ  紙片
３ａ，３ｂ，１２  折り畳み用ミシン
４  第２の用紙
５  接着剤層
６  第３の用紙
７  自己発色剤層
８  再剥離再貼付可能な接着剤層
９  剥離剤層
１０  接着剤
１１  感圧性接着剤層
１３  宛先情報
１４  宛先情報
１５，１６  感圧性接着剤層
１７，１８，２０ａ，２０ｂ，２０ｃ，２０ｄ，２１ａ，２１ｂ  切り取りミシン
１９，２１ｃ，２２ａ  切り取りミシン
２３ａ，２３ｂ  個人情報記入欄
２４  使用方法説明文
２５  封書
【図１】
2010017919.tif 000003
【図２】
2010017919.tif 000004
【図３】
2010017919.tif 000005
【図４】
2010017919.tif 000006
【図５】
2010017919.tif 000007
【図６】
2010017919.tif 000008
【図７】
2010017919.tif 000009
【図８】
2010017919.tif 000010
【図９】
2010017919.tif 000011
【図１０】
2010017919.tif 000012